(57)【要約】　　　（修正有）【課題】簡素な構造でボンベカバーの異常温度に速やかに反応し、その温度により異常に昇圧するボンベ内ガスを直ちに放出させる異常圧力解放安全機構を設けた信頼性の高いガス圧力調整供給装置を提供する。【解決手段】ボンベ５０を収容するボンベカバー１１と、該ボンベカバーと結合されガス吐出孔２９を備える上部カバー１３と、該上部カバー内に内蔵され前記ボンベと結合してボンベ内のガスを所定二次圧力に調整してガス吐出孔に導くガス圧力調整機構とを備えるガス圧力調整供給装置であって、前記ボンベカバーにはそのボンベ座面に所定温度において変形するボンベシート６０を設ける。【選択図】　　　　　図１
2004138104.tif 000002
【特許請求の範囲】
【請求項１】
ボンベを収容するボンベカバーと、該ボンベカバーと結合されガス吐出孔を備える上部カバーと、該上部カバー内に内蔵され前記ボンベと結合してボンベ内のガスを所定二次圧力に調整してガス吐出孔に導くガス圧力調整機構と、を備えるガス圧力調整供給装置において、
前記ボンベカバーにはそのボンベ座面に所定温度において変形するボンベシートが設けられていることを特徴とするガス圧力調整供給装置。
【請求項２】
ボンベシートは、可溶合金又は形状記憶樹脂であることを特徴とする請求項１記載のガス圧力調整供給装置。
【請求項３】
ガス圧力調整機構は、ボンベパッキンを通して先端部がボンベ口金内に挿し込まれるカットノズル、該カットノズルの後端に設けられたフィルター、フィルターの後端に設けられたニードルバルブ、該ニードルバルブの先端と当接する受け板、ニードルバルブの先端が受け板に当接する力を調節するばねを有し、かつ前記カットノズルの基部、フィルター、ばね及びニードルバルブの基部が筒状ケースにより囲まれているものであることを特徴とする請求項１又は２記載のガス圧力調整供給装置。
【請求項４】
ガス圧力調整機構とボンベとが平パッキンにより気密結合され、その気密結合が温度上昇に伴うボンベシートの変形により解除されるようになっている請求項３記載のガス圧力調整供給装置。
【発明の詳細な説明】
【０００１】
【発明の属する技術分野】
本発明は、高圧ガスボンベを収容して所定二次圧力にガス圧を調整してガスを供給するガス圧力調整供給装置、特に高圧ガスボンベが高温になったときに異常に上昇した圧力を解放する機構を備えたガス圧力調整供給装置に関する。
【０００２】
【従来の技術】
ビールサーバと呼ばれる生ビールを貯蔵樽から注ぎ出す装置には、ボンベ内に充填された炭酸ガスを所定の圧力で樽内に供給するガス圧力調整供給装置が備え付けられている。図４はその代表的な構造を示す。この例では、炭酸ガスを充填したボンベ５０がガス圧力調整機構とともにボンベカバー１１、上部カバー１３、調整カバー１４からなる組み立てケースの中に収容されている。ボンベカバー１１は、ボンベ５０のほぼ全体を収容している。上部カバー１３は、調整カバー１４を介してボンベカバー１１と結合されている。調整カバー１４は、上部調整カバー１６と下部調整カバー１５とからなっている。下部調整カバー１５は、ボンベカバー１１及び上部カバー１３と螺着され、一方、上部調整カバー１６は、下部調整カバー１５内に先端部が入り込むように螺着されている。上部調整カバー１６と上部カバー１３との間隙にはＯリング４６が置かれていて上部調整カバーから上部の空間が気密に保たれるようになっている。
【０００３】
ガス圧力調整機構は、ボンベ５０の口金を覆うボンベパッキン３１の中心孔を通して先端部がボンベ口金の中に挿し込まれるカットノズル２２、このカットノズル２２の後端に設けられたフィルター２３、フィルター２３の後端に設けられたニードルバルブ２５、ニードルバルブ２５の先端２５１と当接するバルブ受け板２６、及びニードルバルブ２５の先端２５１がバルブ受け板２６に当接する力を調節する調整ばね２４を有し、このうちカットノズル２２、フィルター２３、ニードルバルブ２５等が下部弁受け４１、上部弁受け４４により画成される空間内に収容されたものとなっている。
【０００４】
上記下部弁受け４１と上部弁受け４４の間にはＯリング止め４３が配設されている。また、上述の上部調整カバー１６と上部弁受け４４及びＯリング止め４３の作る空間にはＯリング１８が配設されており、また、上部弁受け４４は上部調整カバー１６内にバルブパッキン２９を介して嵌め込まれている。したがって、ボンベ５０からカットノズル２２、フィルター２３、ニードルバルブ２５、バルブ受け板２６を経てガス吐出孔２９に至る経路は気密の下におかれている。なお、バルブ受け板２６は、上部カバー１３の天井からピストンスプリング２７等を介して下方に一定の押圧力を与えることができるように、かつ外部環境から遮断された状態で上下動可能に取り付けられている。
【０００５】
このようなガス圧力調整供給装置には、火気の近接等による環境温度の異常な上昇によりボンベ５０内の圧力が異常に上昇したときに、ガスを逸出させてボンベの破裂に至るような重大事故を防止する異常圧力解放安全機構が備えられている。この異常圧力解放安全機構は、下部弁受け４１に（フィルター２３から上部調整カバー１６に至る）貫通孔４８を設けるとともに下部弁受け４１と上部調整カバー１６との間に高温、たとえば６０℃で強度が低下、たとえば流動化する熱可塑性素材製のシール部材４７を配設し、高温下で高圧が掛かったときには、このシール部材４７が軟化あるいは流動化して高圧により破壊あるいは流出して下部調整カバー１５、さらにはボンベカバー１１と上部カバー１３との隙間に至るガス通路４５を通って異常昇圧したガスが逸出されるようになっている。
【０００６】
【発明が解決しようとする課題】
しかしながら、上記ガス圧力調整供給装置は、異常圧力解放安全機構をそのガス流路内に備えているために、ボンベ内ガスの異常な上昇を直ちに検知し、放出させるという、即応性に欠けるという問題がある。すなわち、ボンベ５０の異常な加熱からボンベ内のガス圧が異常に上昇し、熱可塑性素材製のシール部材４７の軟化又は流動化して高圧ガスが解放されるまでに相当のタイムラグを生じる。また、圧力調整機構部の構造が相当に複雑になって部品点数が増加し、組み立て工数、検査点検工数等も増加して製品単価低減の障害となっているという問題がある。
【０００７】
本発明は、かかる従来のガス圧力調整供給装置における問題点を解決することを目的とし、特に簡素な構造でボンベカバーの異常温度に速やかに反応し、その温度により異常に昇圧するボンベ内ガスを直ちに放出させる異常圧力解放安全機構を設けた信頼性の高いガス圧力調整供給装置を提供することを目的とする。
【０００８】
【課題を解決するための手段】
本発明に係るガス圧力調整供給装置は、ボンベを収容するボンベカバーと、該ボンベカバーと結合されガス吐出孔を備える上部カバーと、該上部カバー内に内蔵され前記ボンベと結合してボンベ内のガスを所定二次圧力に調整してガス吐出孔に導くガス圧力調整機構とを備えるガス圧力調整供給装置において、前記ボンベカバーにはそのボンベ座面に所定温度において変形するボンベシートが設けられている。
【０００９】
本発明においては、ボンベシートは可溶合金又は形状記憶樹脂であることが好ましい。これにより、ボンベカバーの異常温度上昇に対しボンベシートが速やかに変形し、ボンベパッキン部に生じた隙間からボンベ内高圧ガスが解放され安全が確保される。
【００１０】
上記各発明において、ガス圧力調整器機構は、ボンベパッキンを通して先端部がボンベ口金内に挿し込まれるカットノズル、該カットノズルの後端に設けられたフィルター、フィルターの後端に設けられたニードルバルブ、該ニードルバルブの先端と当接する受け板、ニードルバルブの先端が受け板に当接する力を調節するばねを有し、かつ前記カットノズルの基部、フィルター、ばね及びニードルバルブの基部が筒状ケースにより囲まれているものとするのが好ましい。
【００１１】
また、ガス圧力調整機構とボンベとが平パッキンにより気密結合され、その気密結合が温度上昇に伴うボンベシートの変形により解除されるようになっているのが好ましい。かかる構成により、簡素な構造で気密を保持し、また、異常圧力を速やかに解放することができる。
【００１２】
【発明の実施の形態】
以下、図面を参照して本発明を具体的に説明する。図１は本発明の１実施例に係るガス圧力調整供給装置の断面図であり、図２はこのガス圧力調整装置が加熱され、又は該装置を取り囲む雰囲気が高温になったときに、ボンベ内のガス圧力が異常に高くなって異常圧力解放安全機構が作動した状態を示す断面図である。
【００１３】
図１に示すように、本発明に係るガス圧力調整供給装置でも従来例と同様に、ボンベ５０を収容するボンベカバー１１に調整カバー１４を介して上部カバー１３が結合されている。また、この上部カバー１３には、ボンベ内のガスを所定二次圧力に調整してガス吐出孔に導くガス圧力調整機構が内蔵され、圧力の調整されたガスがこの上部カバー１３に設けたガス吐出孔２９からたとえばビール樽内に導かれるようになっている。
【００１４】
ガス圧力調整機構も、従来例と同様、カットノズル２２の先端部をボンベ口金内に挿し込むようにし、その後端にフィルター２３を設け、該フィルター２３の後側にニードルバルブ２５を設け、さらに該ニードルバルブ２５の先端をバルブ受け板２６に当接するようにするとともに、該ニードルバルブ２５のバルブ受け板２６に当接する力を調整ばね２４によって調節するようになっている。
【００１５】
したがって、本発明においても従来例と同様に、ボンベ５０から流出するガスはこれらカットノズル２２、フィルター２３、ニードルバルブ２５を通り、さらにはバルブ受け板２６とニードルバルブ２５の先端部のわずかな隙間を通って上部カバー１３に設けたガス吐出孔２９から所定二次圧力で必要個所に送給される。
【００１６】
本発明では、上記ガス圧力調整供給装置において、ボンベカバー１１、ひいてはボンベ５０が異常温度になる場合のボンベ５０内の高圧ガスを解放するために、ボンベカバー１１のボンベ座面に所定温度において変形するボンベシート６０を設けている。このようにすることにより、ボンベカバーの温度が、例えば調理用のガス炎により加熱され、あるいは該ボンベカバーを取り囲む雰囲気が高温になると、ボンベシート６０が軟化しあるいは融解して変形し、ボンベ座面が下降するため、ボンベ内の高圧ガスは、図２に矢印で示す隙間を通ってボンベカバー１１に設けたネジ部やガス放出孔１２より容易に放出される。これにより異常圧力が解放され、安全を確保することができる。
【００１７】
本発明においては、ボンベシート６０はボンベ５０に密着してボンベと同一温度になっているから、結局ボンベの温度が所定の温度に達すると直ちにボンベ内の高圧ガスを解放することができる。すなわち、適切なボンベシート材料を選択することによって、簡素な構造で安価に、信頼性の高い異常圧力解放安全機構を構成することができる。
【００１８】
ボンベシート６０は、可溶合金又は形状記憶樹脂であることが好ましい。例えばビスマス系の可溶合金であるウッド合金やセロロー１４７合金等が利用できる。また、形状記憶樹脂である株式会社ポリシス製のハプラメモリーＩＩＩが利用できる。これらの材料を利用したボンベシート６０は、ボンベ５０の温度変化によく追随して目的に適い、正常時（所定温度範囲）には容易にボンベパッキン３１に所定の押圧力を加えて気密を保持することができ、異常時（所定温度以上）にはボンベパッキン３１部に生ずる隙間から異常に昇圧したガスを解放することができる。
【００１９】
本発明の実施に当たっては、ガス圧力調整機構を従来例で用いられているものとすることもできるが、図１に示されているように、カットノズル２２の基部、フィルター２３、調整ばね２４及びニードルバルブ２５の基部に至る部分を筒状ケース３２に収容したものとすることが好適である。このような構成をとることにより部品点数の削減を図ることができる。すなわち、図４（従来例）と図１（本発明例を）を対比すれば分かるように、本発明例では、ガス圧力調整機構から異常ガス圧を解放するために必要な部品、たとえば下部弁受け４１、上部弁受け４４、Ｏリング受け４３、Ｏリング１８及び安全弁としてのシール部材４７等を要しない。これらの果たすべき機能は、ボンベパッキン３１の変形等により達成されるからである。
【００２０】
ボンベパッキン３１は、弾性変形の大きい樹脂製、例えばウレタンゴムやブチルゴム製の平パッキンが好ましい。図３に示すように係るボンベパッキン３１は、カットノズル２２で穿孔された封板５０ａの穿孔部周囲の変形を十分に吸収し、押圧されたボンベパッキン３１によりガス圧力調整機構とボンベとの気密が確保される。しかし、異常時にはその気密はボンベシート６０の変形により速やかに解除される。
【００２１】
【発明の効果】
本発明に係るガス圧力調整供給装置によると、簡素な構造で通常使用時には確実に機密性を確保することができ、ボンベの異常温度上昇に対しは、速やかにかつ確実にボンベ内高圧ガスを解放することができる。また、部品点数、組み立て工数等が少なく、また、保守・整備が容易で経済的である。
【図面の簡単な説明】
【図１】本発明に係るガス圧力調整供給装置の断面を示す図である。
【図２】図１の装置において異常圧力解放安全機構が作動した状態を示す断面図である。
【図３】図１に示す装置においてボンベ口金部周りの拡大断面を示す図である。
【図４】従来のガス圧力調整供給装置の断面を示す図である。
【符号の説明】
１１：ボンベカバー
１２：ガス放出孔
１３：上部カバー
１４：調整カバー
１５：下部調整カバー
１６：上部調整カバー
１８：Ｏリング
２２：カットノズル
２３：フィルター
２４：調整ばね
２５：ニードルバルブ
２６：バルブ受け板
２７：ピストンスプリング
２９：ガス吐出孔
３１：ボンベパッキン
３２：筒状ケース
４１：下部弁受け
４３：Ｏリング受け
４４：上部弁受け
４５：ガス通路
４６：Ｏリング
４７：シール部材
４８：貫通孔
５０：ボンベ
６０：ボンベシート
【図１】
2004138104.tif 000003
【図２】
2004138104.tif 000004
【図３】
2004138104.tif 000005
【図４】
2004138104.tif 000006